【事件の表示】
　平成６年特許願第２１６１２１号「電子部品自動装着装置」拒絶査定不服審判事件〔平成８年３月２６日出願公開、特開平８−８３９９５〕について、次のとおり審決する。
【結　論】
　本件審判の請求は、成り立たない。
【理　由】
１．手続の経緯・本願発明
　本願は、平成６年９月９日の出願であって、本願の請求項１ないし４に係る発明は、平成１５年６月１３日付け、平成１５年９月５日付け及び平成１５年１１月１４日付けの各手続補正書によって補正された明細書の特許請求の範囲の請求項１ないし４に記載されたとおりのものと認められるところ、本願の請求項１に係る発明は、次のとおりのものである。
「【請求項１】　基台に対して往復移動可能かつ着脱可能に取り付けられ電子部品を供給する部品供給ユニットを複数個配設する移動台と、該移動台の基台に対する移動により前記ユニットの移動経路上の所定の供給位置に停止した所望の種類の電子部品を供給するユニットより電子部品を取出してプリント基板に装着する取出ノズルとよりなり、データ記憶部に記憶された情報に基づき電子部品の装着に係わる動作をする電子部品自動装着装置において、前記移動台に設けられた当該移動台に関する情報を記憶する記憶ユニットと、該ユニットに記憶された情報を読み込み前記データ記憶部に記憶させる読み込み手段を備えたことを特徴とする電子部品自動装着装置。」（以下、「本願発明」という。）
　
２．引用刊行物とその記載事項
　これに対して、原査定の拒絶の理由に引用された、いずれも本願の出願前に日本国内において頒布された特開平４−２８３０３５号公報（以下、「刊行物１」という。）、特開平１−１５７５９９号公報（以下、「刊行物２」という。）及び特開平３−２６８４８９号公報（以下、「刊行物３」という。）には、それぞれ、次の事項が記載されている。
　
２−１．刊行物１（特開平４−２８３０３５号公報）の記載事項
　刊行物１には、「部品供給装置の自動交換装置」に関して、図１〜６とともに次の事項が記載されている。
　（ア）「【０００３】図５，図６を参照して具体例を説明すると、１は部品実装機で、その前部には部品を実装すべき基板をその任意の位置が所定の部品装着位置Ｃに位置するように位置決めする基板位置決め部２とこの基板位置決め部２に対して基板を供給，排出する基板供給手段３と基板排出手段４が配設され、部品実装機１の後部に部品供給部５が配設されている。基板位置決め部２と部品供給部５の間には、図６に示すように、部品供給部５における所定の部品取出位置Ａで部品を取り出し、基板位置決め部２における部品装着位置Ｃで部品を基板に装着するロータリー方式の部品装着手段６が配設されている。また、部品実装機１の上部前面には、モニターテレビから成る表示手段７が配設されている。
【０００４】部品供給部５には左右方向に移動可能な一対の部品供給台８，８が配設されている。各部品供給台８はその移動方向に複数のパーツカセット１０を並列して搭載可能に構成され、部品供給台８上に任意のパーツカセット１０を部品取出位置Ａに対応位置させることができる。」（第２頁第１欄第３３行〜第２欄第１行）
　（イ）「【００１４】図１において、１は部品実装機であり、その構成は図５，図６により従来例で説明したものと実質的に同一構成であり、対応する構成要素には同一の参照符号を付している。
【００１５】部品実装機１の前部には部品を装着すべき基板を位置決めする基板位置決め部２が配設され、部品実装機１の後部に部品供給部５が配設され、基板位置決め部２と部品供給部５の間に、部品供給部５の所定位置で部品を取り出し、基板位置決め部２における所定位置で部品を基板に装着するロータリー方式の部品装着手段６が配設されている。
【００１６】部品供給部５には、左右方向に移動可能な一対の部品供給台８が配設され、その移動方向に複数のパーツカセット１０が並列して配置され、部品供給台８上の任意のパーツカセット１０を部品取出位置に対応位置させるように構成されている。」（第３頁第３欄第１７〜３２行）
　（ウ）「【００１９】記録処理手段２０は、図３に示すように、部品集合体１３の部品名と保持数量と部品特性等を読取，書込可能に格納する記憶手段２１と、部品の取出動作を検出する検知手段２２と、検知手段２２から入力される取出検出信号に応じて記憶されている保持数量から１を減算してその値を記憶手段２１に書込む処理演算手段部２２と、記憶手段２１の記憶内容を処理演算手段２３を介して部品実装機１に設けられた読取・書込手段９（図５，図６参照）やその他の読取または書込手段との間で送受信するための受送信手段２４が設けられている。なお、部品実装機１の読取・書込手段９は、図５，図６に仮想線で示すように、部品供給部５の上部に部品取出位置Ａに対応して設けられるとともに、さらに各部品供給台８に対応して設けられている。」（第３頁第４欄第７〜２０行）
　（エ）「【００２４】なお、このロボット１２によるパーツカセット１０の確認に代えて、あるいはこれと併用して全パーツカセット１０の搭載が完了した後、部品実装機１側でパーツカセット１０の搭載チェックを行ってもよい。即ち、部品供給台８を順次移動させて読取・書込手段９（図５，図６参照）にて各パーツカセット１０の記録処理手段２０から各々の部品名を読取り、読み取ったパーツカセット１０の部品名と部品装着機１の制御部に記憶されている各搭載位置の部品名とを比較し、各部品が所定位置にセットされているかどうか判別し、その結果を表示手段７（図５参照）に表示してもよい。」（第４頁第５欄第５〜１５行）
　
　刊行物１に記載されているような部品実装機１において、部品供給台８が基台に対して往復移動可能に取り付けられること、部品装着手段６が取出ノズルを備えていること、及び、部品実装機１がデータ記憶部に記憶された情報に基づき電子部品の装着に係わる動作をすることは、それぞれ技術常識であるので、上記記載事項（ア）〜（エ）、図１〜６の記載及び技術常識を総合すると、刊行物１には、
「基台に対して往復移動可能に取り付けられ電子部品を供給するパーツカセット１０を複数個配設する部品供給台８と、該部品供給台８の基台に対する移動により前記パーツカセット１０の移動経路上の所定の部品取出位置Ａに停止した所望の種類の電子部品を供給するパーツカセット１０より電子部品を取出して基板に装着する取出ノズルとよりなり、データ記憶部に記憶された情報に基づき電子部品の装着に係わる動作をする部品実装機１において、前記パーツカセット１０に設けられた当該パーツカセット１０に関する情報を記憶する記録処理手段２０と、該記録処理手段２０に記憶された情報を読取る読取・書込手段９を備えた部品実装機１」
の発明（以下、「刊行物１記載の発明」という。）が記載されていると認められる。
　
２−２．刊行物２（特開平１−１５７５９９号公報）の記載事項
　刊行物２には、「電子部品実装装置」に関して、図面第３図、第４図とともに次の事項が記載されている。
　（オ）「部品供給ベース１７上には補助ベース２１、２２が配されている。これらのベース２１、２２の位置決め孔２５のピッチは、その上に載置されるパーツカセット２３、２４の巾に応じて最適な値に設定されている。そしてパーツカセット２３、２４内の部品は、マウントヘッド２６の吸着ノズル２７の真下にきたときに、これらのカセット２３、２４から取出されるようになっている。各補助ベース２１、２２はそれぞれ第４図に示すように、被検出板２９、３０を備えており、これらの被検出板２９、３０はその長さが異なっている。従ってその上方側に配されたセンサ３１、３２によって補助ベース２１、２２の種類が判別されることになる。」（第３頁左下欄第１２行〜右下欄第６行）
　（カ）「このように本実施例の実装装置によれば、パーツカセット２３、２４がきっちり入るピッチで、パーツカセット位置決め孔２５が設けられた補助ベース２１を用いるようにしている。パーツカセット２３、２４は第４図に示すように対応する補助ベース２１、２２上にセットされるとともに、これらの補助ベース２１、２２が部品供給ベース１７上にセットされるようになっている。」（第３頁右下欄第１６行〜第４頁左上欄第３行）
　
２−３．刊行物３（特開平３−２６８４８９号公報）の記載事項
　刊行物３には、「部品供給方法」に関して、図面第１図〜第３図とともに次の事項が記載されている。
　（キ）「実装機は、トレイ５上の部品を取りに行く前にまずトレイ５のＩＣメモリ１２内に記憶してあるトレイ５に係る部品供給側の情報を吸着ノズル４近くに設けられた読取部２１により読み取り、実装機内に第３図に示すようなトレイデータを生成する（ステップ５）。内部で生成したトレイデータに基づき実装機が電子回路基板１０に対応して入力されている実装データに応じた部品をトレイ５から選択して取り出し、電子回路基板１０上の所定位置への実装に供する（ステップ６）。」（第３頁左上欄第１４行〜右上欄第４行）
　
３．発明の対比
　本願発明と刊行物１記載の発明とを対比すると、刊行物１記載の発明の「パーツカセット１０」は本願発明の「部品供給ユニット」に相当し、以下同様に、「部品供給台８」は「移動台」に、「部品取出位置Ａ」は「供給位置」に、「基板」は「プリント基板」に、「部品実装機１」は「電子部品自動装着装置」に、「記録処理手段２０」は「記憶ユニット」に、「読取・書込手段９」は「読み込み手段」に、それぞれ相当する。
　そうすると、本願発明と刊行物１記載の発明とは、
《一致点》
「基台に対して往復移動可能に取り付けられ電子部品を供給する部品供給ユニットを複数個配設する移動台と、該移動台の基台に対する移動により前記ユニットの移動経路上の所定の供給位置に停止した所望の種類の電子部品を供給するユニットより電子部品を取出してプリント基板に装着する取出ノズルとよりなり、データ記憶部に記憶された情報に基づき電子部品の装着に係わる動作をする電子部品自動装着装置において、記憶ユニットと、該ユニットに記憶された情報を読み込む読み込み手段を備えた電子部品自動装着装置」
である点で一致し、次の２点（相違点１及び２）で相違している。
《相違点１》
　「移動台」及び「記憶ユニット」に関して、本願発明では、「移動台」が基台に対して着脱可能に取り付けられるものであるとともに、「記憶ユニット」が移動台に設けられた当該移動台に関する情報を記憶するものであるのに対して、刊行物１記載の発明では、「部品供給台８」（移動台）が基台に対して着脱可能に取り付けられるものであるのか明らかでなく、また、「記録処理手段２０」（記憶ユニット）がパーツカセット１０に設けられた当該パーツカセット１０に関する情報を記憶するものである点。
《相違点２》
　「読み込み手段」に関して、本願発明では、「読み込み手段」が記憶ユニットに記憶された情報を読み込み「データ記憶部に記憶させる」ものであるのに対して、刊行物１記載の発明では、「読取・書込手段９」（読み込み手段）が「データ記憶部に記憶させる」ものであることについての言及がない点。
　
４．当審の判断
　そこで、上記各相違点について以下で検討する。
４−１．《相違点１》について
　刊行物２には、記載事項（オ）、（カ）及び図面第３図、第４図の記載からみて、パーツカセット２３、２４を着脱可能に搭載する補助ベース２１、２２が部品供給ベース１７上に着脱可能に取り付けられること、及び、補助ベース２１、２２の種類の判別のために各補助ベース２１、２２に被検出板２９、３０を備えることが記載されていると認められる。
　そして、刊行物１記載の発明においては、部品供給台８（移動台）に複数のパーツカセット１０（部品供給ユニット）を直接搭載可能にしており、また、記録処理手段２０（記憶ユニット）が各パーツカセット１０（部品供給ユニット）に設けられているが、複数のパーツカセット１０（部品供給ユニット）を刊行物２に記載の補助ベース２１、２２に相当する部材を介して部品供給台８（移動台）に搭載することも可能であり、その際には、当該補助ベース２１、２２に相当する部材が本願発明の移動台に相当するといえるし、また、上記補助ベース２１、２２に相当する部材に当該部材に関する情報を記憶する記憶ユニットを設けるようにすることは、刊行物２に被検出板２９、３０を備えることが記載されていることから、当業者であれば容易に想到できた事項である。
　よって、上記相違点１に係る本願発明の構成事項は、刊行物２に記載された発明に基いて、当業者であれば容易に想到できた事項である。
４−２．《相違点２》について
　刊行物３には、記載事項（キ）及び図面第１図〜第３図の記載からみて、読取部２１がＩＣメモリ１２内に記憶された情報を読み取り、実装機内にトレイデータを生成することが記載されていると認められ、当該刊行物３に記載の「実装機内にトレイデータを生成する」ことは、上記相違点２に係る本願発明の構成事項の「データ記憶部に記憶させる」ことに相当する。
　そして、刊行物１記載の発明において、読取・書込手段９（読み込み手段）で読み取った情報をデータ記憶部に記憶させるようにすることは、上記刊行物３に記載された発明に基いて、当業者であれば容易に想到できた事項である。
　
　また、本願発明が奏する作用効果も、刊行物１ないし３に記載された発明から予測される程度以上のものでもない。
　
５．むすび
　したがって、本願発明（請求項１に係る発明）は、刊行物１ないし３に記載された発明に基いて、当業者が容易に発明をすることができたものであるので、特許法第２９条第２項の規定により特許を受けることができないものであり、そのような本願発明（請求項１に係る発明）を含む本願は、請求項２ないし４に係る発明について検討するまでもなく拒絶すべきものである。
　よって、結論のとおり審決する。